(57)【要約】【課題】  運動用オーディオビデオ再生コントローラーの提供。【解決手段】  使用者が運動中に映画、番組鑑賞或いはゲームを行なう時、全体過程中の運動量を所定程度以上に維持するため、使用者が運動に倦怠し運動量が停止或いは下がる時、その出力するオーディオビデオが改変し、例えばフレームの変化、輝度低減、音量ダウンし、続けての観賞不能となり、運動量を所定の運動程度に増さねばオーディオビデオを正常とできず、こうして各種口実のために映画、番組観賞或いはゲーム継続不能となる情況を防止して、運動量を所定程度に高めるとオーディオビデオが正常に回復し、並びにこれにより使用者に所定目標の総運動時間を達成するよう促す。【選択図】        図２
0003112578.tif 000002
【実用新案登録請求の範囲】
【請求項１】
運動用オーディオビデオ再生コントローラーにおいて、
各タイプのオーディオビデオディスク再生設備に接続されるオーディオビデオ入力機能と、
使用者の身体活動部分の活動量を間接的に測定する測定機能と、
測定後の検出信号の制御回路が必要とする電気信号への変換機能と、
電気信号の対比処理を行い並びにオーディオビデオ信号量の改変を制御する出力機能と、
を具え、これにより出力されるデジタルオーディオビデオ信号を測定の変動量値に伴い出力改変させる機能を達成したことを特徴とする、運動用オーディオビデオ再生コントローラー。
【請求項２】
請求項１記載の運動用オーディオビデオ再生コントローラーにおいて、オーディオビデオディスクプレイヤーのオーディオとビデオ信号を入力信号切り換え、処理回路に接続するための一組のオーディオビデオディスクプレイヤー入力端子を具えたことを特徴とする、運動用オーディオビデオ再生コントローラー。
【請求項３】
請求項１記載の運動用オーディオビデオ再生コントローラーにおいて、異なるメーカーのゲーム機との接続用の、それぞれが異なる形状を具えた４組のゲーム機ソケットを具えたことを特徴とする、運動用オーディオビデオ再生コントローラー。
【請求項４】
請求項１記載の運動用オーディオビデオ再生コントローラーにおいて、有線、無線テレビ番組の伝送用の同軸ケーブルの接続用の、一組の有線、無線テレビ信号入力端子を具えたことを特徴とする、運動用オーディオビデオ再生コントローラー。
【請求項５】
請求項１記載の運動用オーディオビデオ再生コントローラーにおいて、このコントローラーがセンサ装置に接続されて、コントローラーより発射される無線信号を、活動中の運動器具がフィードバックしてこの装置が有用信号を発生することを特徴とする、運動用オーディオビデオ再生コントローラー。
【請求項６】
請求項１記載の運動用オーディオビデオ再生コントローラーにおいて、メインコントロール回路、入力選択、速度調整回路、信号処理回路、信号発生器、電源供給ユニット、ゲーム機プラグ変換回路、入力信号切り換え、処理回路、高周波減衰回路及び状態指示回路を具えたことを特徴とする、運動用オーディオビデオ再生コントローラー。
【請求項７】
請求項６記載の運動用オーディオビデオ再生コントローラーにおいて、高周波減衰回路は、運動器具の運動速度信号をメインコントロール回路により換算して対応する制御信号となし減衰回路の減衰量を制御し、その運動速度信号変動値と減衰量は反比例することを特徴とする、運動用オーディオビデオ再生コントローラー。
【請求項８】
請求項６記載の運動用オーディオビデオ再生コントローラーにおいて、メインコントロール回路は、単位時間内にピックアップした回路信号量を計算して高周波減衰回路の減衰出力を制御し、そのピックアップした信号量が多いほどオーディオビデオ出力の減衰程度は小さくなることを特徴とする、運動用オーディオビデオ再生コントローラー。
【請求項９】
請求項６記載の運動用オーディオビデオ再生コントローラーにおいて、入力信号切り換え、処理回路は、オーディオビデオディスクプレイヤーとゲーム機の入力信号を切り換え、並びに信号をテレビ入力の要求規定に符合するよう処理することを特徴とする、運動用オーディオビデオ再生コントローラー。
【請求項１０】
請求項６記載の運動用オーディオビデオ再生コントローラーにおいて、状態指示回路は、メインコントロール回路により各入力スイッチ位置及び設置情況信号を検出し、正確に各発光ダイオードを点灯させることを特徴とする、運動用オーディオビデオ再生コントローラー。
【請求項１１】
請求項６記載の運動用オーディオビデオ再生コントローラーにおいて、信号発生器は固定時間点で無線信号をトリガし、外部に向けて信号を発射することを特徴とする、運動用オーディオビデオ再生コントローラー。
【請求項１２】
請求項６記載の運動用オーディオビデオ再生コントローラーにおいて、信号処理回路は、センサを通して送り込まれた微弱信号を使用できる電圧に増幅することを特徴とする、運動用オーディオビデオ再生コントローラー。
【請求項１３】
請求項１記載の運動用オーディオビデオ再生コントローラーにおいて、運動器具に配置されたセットトップボックスが多心ケーブルで接続され、該セットトップボックス内に、測定変換回路が設けられ、運動器具の活動部分の運動変動量を抵抗値形態に変換し、更にセットトップボックス内のマルチコントロール専用ＩＣの指定ピンに入力し、また多心ケーブルがプラグでコントローラーのゲーム機プラグ変換回路とメインコントロール回路に接続されて、メインコントロール回路を異なるゲーム機に正確に接続させ並びに正確に指示ランプを点灯させることを特徴とする、運動用オーディオビデオ再生コントローラー。
【請求項１４】
請求項１記載の運動用オーディオビデオ再生コントローラーにおいて、コントローラーに接続されたゲーム機がネットワークで遠方の同様に本コントローラーが取り付けられた同型の運動器と同一の頭脳と体力のゲームを行なえることを特徴とする、運動用オーディオビデオ再生コントローラー。
【考案の詳細な説明】
【技術分野】
【０００１】
本考案は一種の運動用オーディオビデオ再生コントローラーに係り、特に、現代人が各種の口実や環境因子により、当初計画し身体健康に符合する総運動時間を確実に達成できなくなる問題を解決し、並びに随時使用者に所定目標の総運動時間の達成を促す運動用オーディオビデオ再生コントローラーに関する。
【背景技術】
【０００２】
ほとんどのサラリーマンは毎日の活動空間のほとんどがある狭い範囲に限定され、平常は手と脳を使用する作業であるため、身体の活動量が相当に少なく、更に休みの日に運動に行ける場所も多くないので、運動不足が慢性化している。専門家は毎週少なくとも二回、毎回３０分以上の運動により汗を流し、脈拍を９０度以上とすれば健康に良いが、数分間の運動では汗をかかず、血管も拡張せず、効果がないとしている。事実上、誰でも運動が身体に重要なことは知っているものの、環境空間の狭さ、人の惰性等の各種の因子のために運動を続けられる人は多くない。運動により汗を流すことと健康とは関係があることが明らかであるが、各種の口実により計画が放棄されてしまい、相当に意志が強くなければ運動計画を貫徹できない。多くの高価で先進の運動器具設備が最終的には装飾品となってしまうのは残念なことである。
【考案の開示】
【考案が解決しようとする課題】
【０００３】
本考案の主要な目的は、一種の運動用オーディオビデオ再生コントローラーを提供することにあり、それは、使用者に運動中に映画、番組鑑賞或いはゲームを行なわせ、且つ全体過程中の運動量を所定程度以上に維持させるため、一時の怠け心により映画、番組観賞或いはゲーム継続不能となる情況を防止し、運動量を所定程度に高めなければオーディオビデオが正常に回復させられないため、使用者に所定目標の総運動時間を達成するよう促し、これにより運動を楽しくし、伝統的な運動様式から脱却した運動用オーディオビデオ再生コントローラーである。
【０００４】
本考案の運動用オーディオビデオ再生コントローラーは、各種タイプのオーディオビデオ再生設備例えばＣＤプレイヤー、ゲーム機、有線、無線テレビ番組オーディオビデオ入力の機能、使用者の身体活動部分の活動量の測定機能、測定後の検出信号の制御回路が必要とする電気信号への変換機能を具え、更に測定機能と変換機能が結合されて、使用者が運動するか或いは運動器具を使用する過程で、使用者に同時に映画或いは番組を観賞させることができ、使用者が運動に倦怠し運動量が停止或いは下がる時、その出力するオーディオビデオが改変し、例えばフレームの変化、輝度低減、音量ダウンし、続けての観賞不能とし、運動量を所定の運動程度に増さねばオーディオビデオを正常とできず、こうして使用者に必要な運動量を維持するように促して、容易に所定目標の総運動時間を達成させる。
【０００５】
または、使用者が運動と同時にゲームを行なう場合にも、同様にインタラクティブな効果を具え、運動器具に取り付けられたセンサにより、獲得した測定信号値をコントローラーに送り、更に回路変換により、この入力信号をもとの既存のコントローラー上の制御項目機能（例えばゲーム中の左右回転、アクセル、ブレーキ等の機能）の代わりに使用する。ゲーム進行時には敵を倒したり、高得点に自己挑戦する成就感のために、大きく精神を高揚させ、運動量をアップするため、運動器具上のセンサに最大出力させ、これは単独で手部によりコントロール盤を操作する方法と同様である。
【課題を解決するための手段】
【０００６】
請求項１の考案は、運動用オーディオビデオ再生コントローラーにおいて、
各タイプのオーディオビデオディスク再生設備に接続されるオーディオビデオ入力機能と、
使用者の身体活動部分の活動量を間接的に測定する測定機能と、
測定後の検出信号の制御回路が必要とする電気信号への変換機能と、
電気信号の対比処理を行い並びにオーディオビデオ信号量の改変を制御する出力機能と、
を具え、これにより出力されるデジタルオーディオビデオ信号を測定の変動量値に伴い出力改変させる機能を達成したことを特徴とする、運動用オーディオビデオ再生コントローラーとしている。
請求項２の考案は、請求項１記載の運動用オーディオビデオ再生コントローラーにおいて、オーディオビデオディスクプレイヤーのオーディオとビデオ信号を入力信号切り換え、処理回路に接続するための一組のオーディオビデオディスクプレイヤー入力端子を具えたことを特徴とする、運動用オーディオビデオ再生コントローラーとしている。
請求項３の考案は、請求項１記載の運動用オーディオビデオ再生コントローラーにおいて、異なるメーカーのゲーム機との接続用の、それぞれが異なる形状を具えた４組のゲーム機ソケットを具えたことを特徴とする、運動用オーディオビデオ再生コントローラーとしている。
請求項４の考案は、請求項１記載の運動用オーディオビデオ再生コントローラーにおいて、有線、無線テレビ番組の伝送用の同軸ケーブルの接続用の、一組の有線、無線テレビ信号入力端子を具えたことを特徴とする、運動用オーディオビデオ再生コントローラーとしている。
請求項５の考案は、請求項１記載の運動用オーディオビデオ再生コントローラーにおいて、このコントローラーがセンサ装置に接続されて、コントローラーより発射される無線信号を、活動中の運動器具がフィードバックしてこの装置が有用信号を発生することを特徴とする、運動用オーディオビデオ再生コントローラーとしている。
請求項６の考案は、請求項１記載の運動用オーディオビデオ再生コントローラーにおいて、メインコントロール回路、入力選択、速度調整回路、信号処理回路、信号発生器、電源供給ユニット、ゲーム機プラグ変換回路、入力信号切り換え、処理回路、高周波減衰回路及び状態指示回路を具えたことを特徴とする、運動用オーディオビデオ再生コントローラーとしている。
請求項７の考案は、請求項６記載の運動用オーディオビデオ再生コントローラーにおいて、高周波減衰回路は、運動器具の運動速度信号をメインコントロール回路により換算して対応する制御信号となし減衰回路の減衰量を制御し、その運動速度信号変動値と減衰量は反比例することを特徴とする、運動用オーディオビデオ再生コントローラーとしている。
請求項８の考案は、請求項６記載の運動用オーディオビデオ再生コントローラーにおいて、メインコントロール回路は、単位時間内にピックアップした回路信号量を計算して高周波減衰回路の減衰出力を制御し、そのピックアップした信号量が多いほどオーディオビデオ出力の減衰程度は小さくなることを特徴とする、運動用オーディオビデオ再生コントローラーとしている。
請求項９の考案は、請求項６記載の運動用オーディオビデオ再生コントローラーにおいて、入力信号切り換え、処理回路は、オーディオビデオディスクプレイヤーとゲーム機の入力信号を切り換え、並びに信号をテレビ入力の要求規定に符合するよう処理することを特徴とする、運動用オーディオビデオ再生コントローラーとしている。
請求項１０の考案は、請求項６記載の運動用オーディオビデオ再生コントローラーにおいて、状態指示回路は、メインコントロール回路により各入力スイッチ位置及び設置情況信号を検出し、正確に各発光ダイオードを点灯させることを特徴とする、運動用オーディオビデオ再生コントローラーとしている。
請求項１１の考案は、請求項６記載の運動用オーディオビデオ再生コントローラーにおいて、信号発生器は固定時間点で無線信号をトリガし、外部に向けて信号を発射することを特徴とする、運動用オーディオビデオ再生コントローラーとしている。
請求項１２の考案は、請求項６記載の運動用オーディオビデオ再生コントローラーにおいて、信号処理回路は、センサを通して送り込まれた微弱信号を使用できる電圧に増幅することを特徴とする、運動用オーディオビデオ再生コントローラーとしている。
請求項１３の考案は、請求項１記載の運動用オーディオビデオ再生コントローラーにおいて、運動器具に配置されたセットトップボックスが多心ケーブルで接続され、該セットトップボックス内に、測定変換回路が設けられ、運動器具の活動部分の運動変動量を抵抗値形態に変換し、更にセットトップボックス内のマルチコントロール専用ＩＣの指定ピンに入力し、また多心ケーブルがプラグでコントローラーのゲーム機プラグ変換回路とメインコントロール回路に接続されて、メインコントロール回路を異なるゲーム機に正確に接続させ並びに正確に指示ランプを点灯させることを特徴とする、運動用オーディオビデオ再生コントローラーとしている。
請求項１４の考案は、請求項１記載の運動用オーディオビデオ再生コントローラーにおいて、コントローラーに接続されたゲーム機がネットワークで遠方の同様に本コントローラーが取り付けられた同型の運動器と同一の頭脳と体力のゲームを行なえることを特徴とする、運動用オーディオビデオ再生コントローラーとしている。
【考案の効果】
【０００７】
上述の一般人が運動に対して各種の口実や内外環境の因子により運動を貫徹する行動力を欠如させてしまう事実に対し、本考案は上述の情況を改善し、運動に飽きさせることなく、並びに運動行動力を激励し且つ維持させる、一種の運動用オーディオビデオ再生コントローラーを提供する。
【考案を実施するための最良の形態】
【０００８】
図１に示されるのは、本考案が提供する運動用オーディオビデオ再生コントローラーの外部形態であり、それは、外部オーディオビデオ設備例えばオーディオビデオディスクプレイヤー５、有線、無線テレビ番組７の接続を提供し、並びにどの種類の番組ソースを実行するかの選択を提供し、更に連結ディスプレイ８によりオーディオビデオ効果の出力と現出を行なう。該コントローラー１はケースを具え、ケース正面はオーディオビデオコントロールパネル部分であり、電源スイッチ１０、選択スイッチ１１、トリガ信号出力口１２、調整つまみ１３、センサ実行ボタン１４、及び各種機能実行に対応する複数の発光ダイオードで構成された指示ランプＰＬ１５を包含する。更にケース正面にセットトップボックス６０との接続に用いられるケーブル接続ソケット１６が設けられている。ケース背面に外部オーディオビデオ再生設備との接続に供される部分であり、電源線２０、一組のオーディオビデオディスクプレイヤー入力端子２１、一組のゲーム機入力端子２２、一組の、有線、無線テレビ信号入力端子２３、一組の共用出力端子２４、四つのゲーム機接続ソケット２５Ａ，Ｂ，Ｃ，Ｄ、及びセンサ入力端子２６を具えている。
【０００９】
図２には本考案が提供する運動用オーディオビデオ再生コントローラーの内部回路構造形態が示される。それは以下を包含する。
【００１０】
メインコントロール回路３０は、単位時間内にピックアップする回路信号量を計算して高周波減衰回路３８の減衰出力を制御し、そのピックアップした信号量が多いほどオーディオビデオ出力の減衰程度は小さくなる。また、該メインコントロールユニット３０は外部の各種スイッチの状態により現在がどの種類の入力信号が作業中であるかを判別し、並びに正確な指示ランプＰＬ１５を点灯させて正確な回路の動作を許可する。
【００１１】
入力選択、速度調整回路３１は、外部より設定値をメインコントロール回路に伝送する。
【００１２】
信号処理回路３２は、センサを通して送り込まれた微弱信号を使用できる電圧に増幅する。
【００１３】
水平信号発生器３３は、固定時間点に無線信号をトリガし並びに外部の運動器具９Ａ、９Ｂに向けて信号を発射する。
【００１４】
電源供給ユニット３４は全体のコントローラー内部に必要な電力を提供する。
【００１５】
ゲーム機プラグ変換回路３６は、メインコントロール回路３０に正確にゲーム機６を接続並びに認識させる。
【００１６】
入力信号切り換え、処理回路３７は、オーディオビデオディスクプレイヤー５とゲーム機６の入力信号を切り換え、並びに信号をテレビ入力の要求規定に符合するよう処理する。
【００１７】
高周波減衰回路３８は、運動器具９Ａ、９Ｂの運動速度信号をメインコントロール回路３０により換算して対応する制御信号となし減衰回路の減衰量を制御し、その運動速度信号変動値と減衰量は反比例し、即ち運動速度が速いほど減衰程度は小さく、反対の場合は減衰が大きくなる。
【００１８】
状態指示回路３９は、メインコントロール回路３０により各入力スイッチ位置及び設置情況信号を検出し、正確に指示ランプＰＬ１５中の各発光ダイオードを点灯させる。
【００１９】
この構成により、運動量を検出するセンサ４０が伝送する信号種類（パルス或いは電圧）を処理した後、必要な信号の種類に改変し（変動する抵抗値形態）、この信号を更にメインコントロール回路３０に接続し、メインコントロール回路３０により外部ボタン設定値、高周波減衰回路３８と入力信号切り換え、処理回路３７の制御信号量を総合し、運動量の改変を利用し、コントローラー１を通してオーディオビデオディスクと有線、無線テレビの信号出力を、微弱な不正常状態となす。
【００２０】
図３は使用者が運動器具（フラフープ）９Ａを使用して運動しながらオーディオビデオディスクプレイヤー５で再生する映画を観賞する場合を説明する。まず運動器具（フラフープ）９Ａに反射器９０を設置し、並びに適宜距離を保持するようにセンサ４０を置く。このセンサ４０は回路でコントローラー１のセンサ入力端子２６に接続され、更にオーディオビデオディスクプレイヤー５のオーディオビデオ出力がコントローラー１のオーディオビデオディスクプレイヤー入力端子２１に接続され、並びにコントローラー１の共用出力端子２４がディスプレイ８に接続され、その後、コントローラー１、オーディオビデオディスクプレイヤー５、ディスプレイ８の電源がオンされ、続いて選択スイッチ１１により現在の再生項目がディスク再生モードに設定され、並びに使用者が運動器具を回す速度により運動量の調整つまみ１３の設定値が設定され、使用前の設置準備が完成し、ディスプレイ８が出力する画像の明るさと音声ボリュームがコントローラー１の回路制御を受ける。実際の使用上、使用者がフラフープを回すと、コントローラー１がセンサ４０を通して続けて使用者の運動量を検出し、並びにフラフープが一周回転する時間間隔パルス信号をメインコントロール回路３０に送り、メインコントロール回路３０が設定値と比較し、設定値より低ければ、入力信号切り換え、処理回路３７をトリガし、信号電圧を改変させ更にコントローラー１の共用出力端子２４より送出し、この信号がディスプレイ８に進入した後は、現出する画像フレームが暗くなり、音声ボリュームが小さくなり、この時もしフラフープの回転速度を加速すれば、画像フレームは正常な明るさに戻り適量の音声出力に回復する。
【００２１】
図４は運動器具（サイクリングマシン）９Ｂを使用し並びにゲーム機６でコンピュータゲームを行なう場合を説明する。サイクリングマシンの重力輪回転速度が、ゲーム中の本来は手指の押圧によりアクセルゲートを制御する動作の代わりに使用される。各種の準備作業では、まず、運動器具９Ｂの回転輪にセンサを設置し、センサの出力を運動器具の制御が容易な位置のセットトップボックス６０回路板に接続する。セットトップボックス６０回路板に複数のメーカーのゲーム機６のジョイスティックを制御できるマルチコントロール専用ＩＣ（ＡＳＩＣ）が設けられ、またセットトップボックス６０は多心ケーブルでメインコントローラーのゲーム機プラグ変換回路３６とメインコントロール回路３０に接続され、コントローラー１、ゲーム機６の電源がオンされた後、回路は選択スイッチ１１の選択入力と使用者がセットトップボックス６０中に運動量により設定した設定値により、測定した信号と設定値を比較し、ゲーム機６の一部の機能はセットトップボックス６０回路上のマルチコントロール専用ＩＣ（ＡＳＩＣ）を通して直接セットトップボックス６０上のボタンで設定されるため（左右後部ミラー、シングルダブル打撃の機能）、これらの設定はセンサの回路で行なう必要がなく、直接セットトップボックス６０のボタンで設定できる。最後に、ゲーム機６のオーディオビデオ出力がコントローラー１のオーディオビデオディスクプレイヤー出力端子２１に接続され、並びに共用出力端子２４よりディスプレイ８に接続される。上述の設置完成後、もともとセットトップボックス６０のボタンにより操作されていたアクセルゲート動作が検出変換回路で行なわれる。こうして実際の使用時には、使用者は不断にサイクリングマシンを踏み、検出変換回路がセンサを通して使用者の運動量を続けて測定し、並びに重力輪回転速度のパルス信号を伝送し、設定値と比較し、使用者の踏む速度が緩慢となると、設定値より低い信号を抵抗値に変換し、並びにもともとアクセルゲートの大きさを代表する機能のＩＣピンに接続し、更にマルチコントロール専用ＩＣ（ＡＳＩＣ）がこの変換後の抵抗値に基づきゲーム機通信協定に符合する信号パッケージを、多心ケーブルでコントローラーのゲーム機プラグ変換回路３６に送り、更にゲーム機形状に符合するプラグケーブルでゲーム機６のコントローラーソケットに接続し、ゲーム機６制御の目的を達成する。
【００２２】
図５の情況は図３に示されるものと類似し、コントローラー１と運動器具９Ａの架設上は同じであり、実際の使用上、コントローラー１はまたセンサ４０を利用して続けて使用者の運動量を測定し、信号をメインコントロール回路３０に送り設定値と比較し、結果値が低ければ、高周波減衰回路３８をトリガし、同軸ケーブルの信号を弱くし、信号がディスプレイ８に進入した後に現出される画像が劣化し、音声出力がひずむ情況を発生させ、この情況は同様に使用者が設定運動量以上に回復することにより、正常な明るい画面と正常な音声出力に回復する。
【００２３】
同様に、上述の運動原理と形式を運用し、更に運動器具活動部分の運動速度変化量を測定してゲーム機中のもともと手により制御されていた機能の代わりとすることができ、このような変化量信号は各部分に置かれたセンサ４０による検出を利用し、更に信号タイプ改変後に指定ＩＣピンに接続されて形成される。運動器具９Ａ、９Ｂに関しては、簡単なフラフープ、縄跳びの縄等から複雑なサイクリングマシン、ステッパー、腕力訓練機等の設備のいずれでも自由に選択してコントローラー１と結合して運用でき、相当に便利で実用的である。
【００２４】
このほか、本考案はゲーム機６の運用上、各メーカーのゲーム機機能は強大で、並びに一人一機で単独操作とは限られず、実際の運用上は更に複数の人が複数の同型のコントローラーを使用しうる。複数の同型の健康器具が同一地点で使用される時、複数のコントローラー１が同一のゲーム機６に接続されることで、複数の人が一緒に運動する情況下で、同時にゲーム中の試合機能を実行でき、一人で使用することによる怠惰心を防止でき、励まし合うことにより、必要な十分な運動効果を達成できる。或いはインターネットの接続方式を通し、同型コントローラーと同型運動器具を組合せ、複数の人が複数の地点で、遠距離にあって、体力と頭脳のゲームを行なえる。ゆえに一般の頭脳だけのゲーム効果より優れている。
【００２５】
総合すると本考案の運動用オーディオビデオ再生コントローラーは確実に予期された目的を達成し、且つ実用機能がアップされており、実用新案登録の要件を具備している。
【図面の簡単な説明】
【００２６】
【図１】本考案の実施例の外部構造図である。
【図２】本考案の実施例の内部回路図である。
【図３】本考案の実施例の回路フロー図である。
【図４】本考案の別の実施例の回路フロー図である。
【図５】本考案の更に別の実施例の回路フロー図である。
【符号の説明】
【００２７】
１  コントローラー          １０  電源スイッチ
１１  選択スイッチ          １２  トリガ信号出力口
１３  調整つまみ            １４  センサ実行ボタン
１５  指示ランプＰＬ        １６  ケーブル接続ソケット
２０  電源線                ２１  オーディオビデオディスクプレイヤー入力端子
２２  ゲーム機入力端子      ２３  有線、無線テレビ信号入力端子
２４  共用出力端子          ２５Ａ、Ｂ、Ｃ、Ｄ  ゲーム機ソケット
２６  センサ入力端子        ３０  メインコントロール回路
３１  入力選択、速度調整回路  ３２  信号処理回路
３３  信号発生器              ３４  電源供給ユニット
３６  ゲーム機プラグ変換回路  ３７  入力信号切り換え、処理回路
３８  高周波減衰回路          ３９  状態指示回路
４０  センサ                  ５  オーディオビデオディスクプレイヤー
６  ゲーム機                  ６０  セットトップボックス
７  有線、無線テレビ番組      ８  ディスプレイ
９Ａ  運動器具                ９Ｂ  運動器具
９０  反射器
【図１】
0003112578.tif 000003
【図２】
0003112578.tif 000004
【図３】
0003112578.tif 000005
【図４】
0003112578.tif 000006
【図５】
0003112578.tif 000007